(57)【要約】  可搬形記憶媒体を使用して地図情報上に、コンテンツに関連した位置を表示させること。  表示制御部（制御部２１）は、表示部１９に視覚情報を表示させる対象となっているコンテンツの視覚情報を地図情報上に表示させる。コンテンツの複数の識別値のうち第一の識別値が見つからないときには、可搬形記憶媒体１２に記憶されているコンテンツの中でコンテンツの複数の識別値のうち第一の識別値以外が一致するコンテンツを抽出する。抽出したコンテンツの視覚情報を地図情報上に表示させる。
2011065570.tif 000002
【特許請求の範囲】
【請求項１】
情報表示装置に挿入される可搬形記憶媒体の識別情報に対応させて、コンテンツそれぞれの識別情報と、コンテンツそれぞれの複数の識別値と、前記コンテンツそれぞれの識別情報と関連付けられた前記コンテンツの記録または再生の履歴とを記憶する記憶部と、
前記情報表示装置の移動に関する移動履歴に対応させて、前記コンテンツの記録または再生の履歴を示す視覚情報を表示部の地図情報上に表示させる表示制御部と、
を有し、
前記表示制御部は、前記表示部に視覚情報を表示させる対象となっているコンテンツの視覚情報を前記地図情報上に表示させる際に、前記コンテンツの複数の識別値のうち第一の識別値が見つからないときには、前記可搬形記憶媒体に記憶されている前記コンテンツの中で前記コンテンツの複数の識別値のうち第一の識別値以外が一致するコンテンツを抽出して、抽出したコンテンツの視覚情報を前記地図情報上に表示させる、
ことを特徴とする情報表示装置。
【請求項２】
請求項１記載の情報表示装置であって、
前記第一の識別値は、前記コンテンツのファイルパスであり、
前記複数の識別値のうち第一の識別値以外は、前記コンテンツのファイルサイズ、ファイルハッシュ値、メタデータ、サムネイルパスのいずれか１つまたは複数である、
ことを特徴とする情報表示装置。
【請求項３】
請求項２記載の情報表示装置であって、
前記表示制御部は、第二の識別値としてファイルサイズを用い、第三の識別値としてファイルハッシュ値を用いてコンテンツを抽出する、
ことを特徴とする情報表示装置。
【請求項４】
請求項１〜３のいずれか１項に記載の情報表示装置であって、
前記表示制御部は、前記情報表示装置に挿入されている前記可搬形記憶媒体に記憶されている前記コンテンツの中に、前記表示部に視覚情報を表示させる対象となっているコンテンツが見つからないときには、前記情報表示装置に記憶されている前記対象となっているコンテンツに関する情報を視覚情報として前記地図情報上に表示させる、
ことを特徴とする情報表示装置。
【請求項５】
情報表示装置に挿入される可搬形記憶媒体の識別情報に対応させて、コンテンツそれぞれの識別情報と、コンテンツそれぞれの複数の識別値と、前記コンテンツそれぞれの識別情報と関連付けられた前記コンテンツの記録または再生の履歴とを記憶部に記憶させる記憶ステップと、
前記情報表示装置の移動に関する移動履歴に対応させて、前記コンテンツの記録または再生の履歴を示す視覚情報を表示部の地図情報上に表示するよう制御する表示制御ステップと、
を含み、
前記表示制御ステップは、前記表示部に視覚情報を表示させる対象となっているコンテンツの視覚情報を前記地図情報上に表示させる際に、前記コンテンツの複数の識別値のうち第一の識別値が見つからないときには、前記可搬形記憶媒体に記憶されている前記コンテンツの中で前記コンテンツの複数の識別値のうち第一の識別値以外が一致するコンテンツを抽出して、抽出したコンテンツの視覚情報を前記地図情報上に表示させる、
ことを特徴とする情報表示方法。
【請求項６】
情報表示装置が備えるコンピュータに、
前記情報表示装置に挿入される可搬形記憶媒体の識別情報に対応させて、コンテンツそれぞれの識別情報と、コンテンツそれぞれの複数の識別値と、前記コンテンツそれぞれの識別情報と関連付けられた前記コンテンツの記録または再生の履歴とを記憶部に記憶させる記憶ステップと、
前記情報表示装置の移動に関する移動履歴に対応させて、前記コンテンツの記録または再生の履歴を示す視覚情報を表示部の地図情報上に表示するよう制御する表示制御ステップと、
を実行させ、
前記表示制御ステップは、前記表示部に視覚情報を表示させる対象となっているコンテンツの視覚情報を前記地図情報上に表示させる際に、前記コンテンツの複数の識別値のうち第一の識別値が見つからないときには、前記可搬形記憶媒体に記憶されている前記コンテンツの中で前記コンテンツの複数の識別値のうち第一の識別値以外が一致するコンテンツを抽出して、抽出したコンテンツの視覚情報を前記地図情報上に表示させる、
ことを特徴とするコンピュータプログラム。
【発明の詳細な説明】
【技術分野】
【０００１】
本発明は、情報表示装置、情報表示方法およびコンピュータプログラムに関する。
【背景技術】
【０００２】
昨今のＰＤＡ(Personal Digital Assistant)、ＰＮＤ(Potable
Navigation Device)などの携帯端末では、１台の端末によって静止画撮影、静止画再生、動画撮影、動画再生、音楽情報取得、音楽情報再生、電話通信、メール通信等の少なくとも２つの機能を実行でき、さらに、ＰＮＤではナビゲーション機能を備えている。【０００３】
また、特許文献１では、位置情報と共に各種コンテンツを格納して地図情報と共に表示可能なコンピュータ装置（たとえば携帯端末）が開示されている。このコンピュータ装置によれば、表示部に表示されている地図情報上に、コンテンツに関連した位置を表示させることができる。
【先行技術文献】
【特許文献】
【０００４】
【特許文献１】特開２００１−１３４５９５号公報
【発明の概要】
【発明が解決しようとする課題】
【０００５】
上述した特許文献１に開示されているコンピュータ装置では、コンテンツと地図情報との対応付けが必須である。特許文献１のコンピュータ装置では、コンテンツと地図情報との対応付けが崩れると地図情報上にコンテンツに関連した位置を表示させることはできない。【０００６】
たとえばＳＤ(Secure Digital)（登録商標）カードなどの可搬形記憶媒体に第１のコンピュータ装置（たとえば携帯端末）からいったん１つのコンテンツを構成するデータ（これをデータＡとする）を書き込んだ後、このＳＤカードをユーザが第２のコンピュータ装置（たとえば自宅のパソコン）に挿入してデータＡを第２のコンピュータ装置に読み込み、再度、第２のコンピュータ装置に読み込んだデータＡをＳＤカードに書き込むといった場合を想定する。【０００７】
このときに、第１のコンピュータ装置からＳＤカードにデータＡが書き込まれた時点のデータＡに対応付けられているファイルパスと同じファイルパスが、第２のコンピュータ装置からＳＤカードにデータＡが書き戻された時点で対応付けられるとは限らない。すなわち、ユーザによって第２のコンピュータ装置からＳＤカードにデータＡが書き戻されるときに、ユーザがＳＤカードにおける前回とは異なるファイルパスで指定される領域にデータＡを保存すると、いつどのようなコンテンツを再生したのかが分からなくなってしまう。【０００８】
このような場合、第１のコンピュータ装置は、コンテンツと地図情報との対応付けをデータＡのファイルパスから辿ることが困難になる。よって、特許文献１のコンピュータ装置では、地図情報上にコンテンツに関連した位置を表示することはできない。したがって、特許文献１のコンピュータ装置ではＳＤカードのような可搬形記憶媒体を使用することは想定されていない。【０００９】
ＰＤＡ，ＰＮＤなどの携帯端末では、ＳＤカードのような可搬形記憶媒体は広く普及しており、可搬形記憶媒体が使用できないことはユーザにとってきわめて不便である。【００１０】
本発明は、このような背景の下に行われたものであって、情報表示装置に、検索対象となるコンテンツを記録している可搬形記憶媒体が挿入されていない場合、もしくは検索対象となるコンテンツを記録した可搬形記憶媒体とは異なる可搬形記憶媒体が挿入されている場合でもユーザの検索対象となるコンテンツの記録または再生の履歴を見ることができると共に、当該コンテンツを再生することができる情報表示装置、情報表示方法およびコンピュータプログラムを提供することを目的とする。
【課題を解決するための手段】
【００１１】
本発明の１つの観点は、情報表示装置としての観点である。すなわち、本発明の情報表示装置は、情報表示装置に挿入される可搬形記憶媒体の識別情報に対応させて、コンテンツそれぞれの識別情報と、コンテンツそれぞれの複数の識別値と、コンテンツそれぞれの識別情報と関連付けられたコンテンツの記録または再生の履歴とを記憶する記憶部を有し、情報表示装置の移動に関する移動履歴に対応させて、コンテンツの記録または再生の履歴を示す視覚情報を表示部の地図情報上に表示させる表示制御部を有し、表示部に視覚情報を表示させる対象となっているコンテンツの視覚情報を地図情報上に表示させる際に、コンテンツの複数の識別値のうち第一の識別値が見つからないときには、可搬形記憶媒体に記憶されているコンテンツの中でコンテンツの複数の識別値のうち第一の識別値以外が一致するコンテンツを抽出して、抽出したコンテンツの視覚情報を地図情報上に表示させるものである。【００１２】
たとえば第一の識別値は、コンテンツのファイルパスであり、複数の識別値のうち第一の識別値以外は、コンテンツのファイルサイズ、ファイルハッシュ値、メタデータ、サムネイルパスのいずれか１つまたは複数である。【００１３】
さらに、表示制御部は、第二の識別値としてファイルサイズを用い、第三の識別値としてファイルハッシュ値を用いてコンテンツを抽出する。【００１４】
さらに、表示制御部は、情報表示装置に挿入されている可搬形記憶媒体に記憶されているコンテンツの中に、表示部に視覚情報を表示させる対象となっているコンテンツが見つからないときには、情報表示装置に記憶されている前記対象となっているコンテンツに関する情報を視覚情報として地図情報上に表示させることができる。【００１５】
本発明の他の観点は、情報表示方法としての観点である。すなわち、本発明の情報表示方法は、情報表示装置に挿入される可搬形記憶媒体の識別情報に対応させて、コンテンツそれぞれの識別情報と、コンテンツそれぞれの複数の識別値と、コンテンツそれぞれの識別情報と関連付けられたコンテンツの記録または再生の履歴とを記憶部に記憶させる記憶ステップと、情報表示装置の移動に関する移動履歴に対応させて、コンテンツの記録または再生の履歴を示す視覚情報を表示部の地図情報上に表示するよう制御する表示制御ステップと、を含み、表示制御ステップは、表示部に視覚情報を表示させる対象となっているコンテンツの視覚情報を地図情報上に表示させる際に、コンテンツの複数の識別値のうち第一の識別値が見つからないときには、可搬形記憶媒体に記憶されているコンテンツの中でコンテンツの複数の識別値のうち第一の識別値以外が一致するコンテンツを抽出して、抽出したコンテンツの視覚情報を地図情報上に表示させるものである。【００１６】
本発明のさらに他の観点は、コンピュータプログラムとしての観点である。すなわち、本発明のコンピュータプログラムは、情報表示装置が備えるコンピュータに、情報表示装置に挿入される可搬形記憶媒体の識別情報に対応させて、コンテンツそれぞれの識別情報と、コンテンツそれぞれの複数の識別値と、コンテンツそれぞれの識別情報と関連付けられたコンテンツの記録または再生の履歴とを記憶部に記憶させる記憶ステップと、情報表示装置の移動に関する移動履歴に対応させて、コンテンツの記録または再生の履歴を示す視覚情報を表示部の地図情報上に表示するよう制御する表示制御ステップと、を実行させ、表示制御ステップは、表示部に視覚情報を表示させる対象となっているコンテンツの視覚情報を地図情報上に表示させる際に、コンテンツの複数の識別値のうち第一の識別値が見つからないときには、可搬形記憶媒体に記憶されているコンテンツの中でコンテンツの複数の識別値のうち第一の識別値以外が一致するコンテンツを抽出して、抽出したコンテンツの視覚情報を前記地図情報上に表示させるものである。
【発明の効果】
【００１７】
本発明によれば、情報表示装置に、検索対象となるコンテンツを記録している可搬形記憶媒体が挿入されていない場合、もしくは検索対象となるコンテンツを記録した可搬形記憶媒体とは異なる可搬形記憶媒体が挿入されている場合でもユーザの検索対象となるコンテンツの記録または再生の履歴を見ることができると共に、当該コンテンツを再生することができる。
【図面の簡単な説明】
【００１８】
【図１】本発明の実施の形態に係る情報表示装置のブロック構成図である。
【図２】本発明の実施の形態に係る情報表示装置が有するコンテンツテーブルの一例を示す図である。
【図３】本発明の実施の形態に係る情報表示装置が有する記録再生履歴テーブルの一例を示す図である。
【図４】本発明の実施の形態に係る情報表示装置が行う撮影処理の動作を示すフローチャートである。
【図５】本発明の実施の形態に係る情報表示装置が行う再生後処理の動作を示すフローチャートである。
【図６】本発明の実施の形態に係る情報表示装置が行う再生処理の動作を示すフローチャートである。
【図７】本発明の実施の形態に係る情報表示装置の記憶部が有する移動履歴テーブルの一例を示す図である。
【図８】本発明の実施の形態に係る情報表示装置による応用例を説明するための表示部の表示例を示す図である。
【図９】図８の表示例において静止画のコンテンツが選択された場合の表示例を示す図である。
【図１０】その他の実施の形態に係る情報表示装置が行うＳＤカード内にコンテンツＩＤを埋め込む撮影処理の動作を示すフローチャートである。
【図１１】その他の実施の形態に係る情報表示装置の制御部が行うＳＤカード内にコンテンツＩＤを埋め込むと共にコンテンツテーブルにも各種データを書き込む撮影処理の動作を示すフローチャートである。
【図１２】その他の実施の形態に係る無線ＬＡＮモジュールを有する情報表示装置のブロック構成図である。
【図１３】図１２の情報表示装置を有する情報表示システムの全体構成図である。
【発明を実施するための形態】
【００１９】
（本発明の実施の形態に係る情報表示装置１の構成について）
本発明の実施の形態に係る情報表示装置１の構成について図１を参照して説明する。図１は、情報表示装置１のブロック構成図である。情報表示装置１は、一時記憶部１０、記憶部１１、可搬形記憶媒体１２、記憶媒体コントローラ１３、スピーカ１４、マイクロフォン１５、時計１６、ＧＰＳ(Global Positioning System)１７、カメラ１８、表示部１９、操作部２０、制御部２１から構成される。
【００２０】
一時記憶部１０は、たとえばＲＡＭ(Random Access Memory)など、制御部２１によって一時的に利用されるデータが格納されるメモリである。なお、一時記憶部１０は、情報表示装置１の電源がＯＦＦになると記憶内容が消去されてもよい。
【００２１】
記憶部１１は、制御部２１から転送される情報を書き込んだり、予め記憶してある情報を制御部２１に対して読み出す。記憶部１１は、ＨＤＤ(Hard Disk Drive)および／または情報表示装置１の電源のＯＮ／ＯＦＦに関わらず情報を保持できる不揮発性メモリ（ＦｌａｓｈＲＯＭ(Read Only Memory)など）を有する。なお、情報表示装置１は、携帯端末であるため小型軽量化が必須要件である。よって、記憶部１１は、ＨＤＤよりも小型軽量のＦｌａｓｈＲＯＭを有することが好ましい。
【００２２】
可搬形記憶媒体１２は、以下の説明ではＳＤカード１２として説明する。しかしながら、可搬形記憶媒体１２は、ＳＤカード以外の可搬形記憶媒体（たとえばＵＳＢ(Universal Serial Bus)メモリなどであってもよい。
【００２３】
記憶媒体コントローラ１３は、ＳＤカード１２におけるデータの書込み、および読出しを制御するためのインタフェースである。なお、記憶媒体コントローラ１３は、制御部２１によって制御されて処理を実行する。
【００２４】
スピーカ１４は、情報表示装置１が音楽のコンテンツなどの音声データを再生する際に、音声データを出力するものである。なお、スピーカ１４に代えて、あるいは、スピーカ１４に加えて、ヘッドホンまたはイヤホンを備えてもよい。この場合、情報表示装置１としては、ヘッドホンまたはイヤホンの接続端子を備えるだけでもよい。
【００２５】
マイクロフォン１５は、情報表示装置１が録音を行う際に使用されるものである。あるいは、マイクロフォン１５は、ユーザが情報表示装置１に対して音声データを入力し、制御部２１がユーザから入力された音声データを解析することによってユーザからの指示を音声認識するためにも使用できる。
【００２６】
時計１６は、ＲＴＣ(Real Time Clock)であり、制御部２１が現在時刻を認識するためのものである。
【００２７】
ＧＰＳ１７は、ＧＰＳ衛星からの信号を受信することによって、情報表示装置１の現在位置を測定する。なお、ＧＰＳ方式以外でも情報表示装置１の現在位置を測定可能であればＧＰＳ１７に代替することができる。たとえば情報表示装置１が携帯電話端末としての機能を有するものである場合、現在受信している基地局位置から現在位置を推定することができる。あるいは、情報表示装置１が車載されている場合、ＶＩＣＳ(Vehicle Information and Communication System)などから現在位置情報を取得してもよい。
【００２８】
カメラ１８は、情報表示装置１が静止画または動画を撮影する際に使用するものである。カメラ１８は、ＣＣＤ(Charge Coupled Device)画像センサまたはＣ−ＭＯＳ(Complementary
Metal Oxide Semiconductor)画像センサなどを有する。
【００２９】
表示部１９は、制御部２１の制御によって各種情報（テキスト情報、画像情報、図形情報など）を表示する。よって、表示部１９は、液晶表示装置、有機ＥＬ(Electro Luminescence)表示装置などのディスプレイ装置により構成され、さらに、スピーカ１４またはヘッドホン（またはイヤホン）に対して表示部１９に表示される各種情報の内容を音声データとして併せて出力するようにしてもよい。
【００３０】
操作部２０は、制御部２１に対してユーザからの操作を入力する。たとえば操作部２０は、表示部１９に重畳されて設けられるタッチパネルである。このタッチパネルは、表示部１９の表示が透過して見えるように設けられる。表示部１９に表示されるアイコンに対応する位置のタッチパネルの部位をユーザが指などで押圧することにより制御部２１に所定の操作入力が行われる。なお、タッチパネルの方式（マトリクススイッチ、抵抗膜方式、表面弾性波方式、赤外線方式、電磁誘導方式、静電容量方式など）は、どのようなものであってもよい。また、操作部２０は、押し釦スイッチ、キースイッチなどのスイッチ類および／またはマウスなどのポインター機能（表示部１９の画面上の所定位置を指摘する機能）を備えてもよい。
【００３１】
制御部２１は、たとえばＣＰＵ(Central Processing Unit)、ＡＳＩＣ(Application
Specific Integrated Circuit)、マイクロプロセッサ（マイクロコンピュータ）、ＤＳＰ(Digital
Signal Processor)などにより構成される。制御部２１は、上述した各部を制御するものである。たとえば表示部１９に各種情報を表示させる制御、操作部２０の操作入力を受け付ける制御、一時記憶部１０、記憶部１１に情報の書込みおよび読出しを行う制御、記憶媒体コントローラ１３を制御して可搬形記憶媒体２に情報の書込みおよび読出しを行う制御、スピーカ１４に音声データを出力させる制御、マイクロフォン１５に音声データを入力させる制御、ＧＰＳ１７に情報表示装置１の現在位置を取得させる制御、カメラ１８に静止画または動画を撮影させる制御、などを行う。
【００３２】
なお、請求項でいう記憶部は、単に記憶部１１のことではなく、記憶部１１と制御部２１とが協働することにより成立するものである。また、請求項でいう出力部および移動履歴表示手段は、単に表示部１９のことではなく、記憶部１１、ＳＤカード１２（記憶媒体コントローラ１３）、表示部１９および制御部２１が協働して成立するものである。
【００３３】
また、以下の説明において、コンテンツとは、音楽、静止画、動画、テキストデータ等の文章データなどの情報である。また、ファイルとは、コンテンツを構成する複数のデータが格納されるメモリ領域である。ファイルを再生するとは、ファイルに格納されている音楽、静止画、動画などのコンテンツが生成されることである。ファイルパスとは、ファイルの所在位置をメモリ内で辿るための情報である。ファイルサイズとは、ファイルに格納されているデータサイズの合計値である。メタデータとは、コンテンツが音楽である場合など、そのコンテンツの内容を要約した情報であり、たとえばアーティスト名、アルバム名、曲名などである。サムネイルとは、コンテンツが静止画または動画である場合など、そのコンテンツの内容を把握できる縮小画像などの情報である。サムネイルパスとは、サムネイルの所在位置をメモリ内で辿るための情報である。
【００３４】
（情報表示装置１で使用するコンテンツテーブル３０について）
次に、情報表示装置１で使用するコンテンツテーブル３０について図２を参照して説明する。コンテンツテーブル３０は、図１に示す記憶部１１に記憶されている。コンテンツテーブル３０は、図２に示すように、コンテンツＩＤ（請求項でいう「コンテンツそれぞれの識別情報」に相当）３１、ＳＤカードＩＤ（ＳＤカード識別情報）３２、ファイルハッシュ値３３、ファイルサイズ３４、ファイルパス３５、メタデータ３６、サムネイルパス３７により構成される。なお、これらファイルハッシュ値３３、ファイルサイズ３４、ファイルパス３５、メタデータ３６、サムネイルパス３７は、請求項でいう「コンテンツそれぞれの複数の識別値」に相当する。また、請求項でいう「複数の識別値のうち第一の識別値以外」は、ファイルハッシュ値３３、ファイルサイズ３４、ファイルパス３５、メタデータ３６、サムネイルパス３７に相当する。さらに、ファイルパス３５は、請求項でいう「第一の識別値」に相当し、ファイルサイズ３４は、請求項でいう「第二の識別値」に相当し、ファイルハッシュ値３３は、請求項でいう「第三の識別値」に相当する。
【００３５】
コンテンツＩＤ３１は、コンテンツが記録または再生される毎にコンテンツテーブル３０において採番される識別番号である。
【００３６】
ＳＤカードＩＤ３２は、ＳＤカード１２毎に予め付与されている識別情報である。
【００３７】
ファイルハッシュ値３３は、コンテンツＩＤ３１に対応するコンテンツのデータをハッシュ関数と呼ぶ一方向関数を使って演算した値のことである。ファイルハッシュ値３３を利用することにより、ファイルの同一性を確認できる。すなわち、あるファイルの一部のデータが更新された場合、更新前のファイルと更新後のファイルとが同一であるか否かを調べるには、ファイルを構成するデータを一つずつ比較するといったことは困難である。このような場合、ハッシュ値を比較することにより、ファイルの同一性を簡単に確認することができる。
【００３８】
ファイルサイズ３４は、コンテンツＩＤ３１に対応するコンテンツの元データのデータサイズである。なお、ファイルサイズ３４の単位はバイト（ｂｙｔｅ）である。
【００３９】
ファイルパス３５は、ファイルが格納されているメモリ領域を辿るための情報である。
【００４０】
メタデータ３６は、コンテンツＩＤ３１に対応するコンテンツのメタデータである。主に、コンテンツが音楽などである場合、アーティスト名、アルバム名、曲名などがメタデータとして記録される。また、コンテンツが静止画または動画の場合、緯度経度情報から住所またはランドマークなどがメタデータとして記録されていてもよい。
【００４１】
サムネイルパス３７は、コンテンツＩＤ３１に対応するコンテンツのサムネイルを読み出すためのファイルパスである。サムネイルとしては、主に、コンテンツが静止画または動画などである場合、静止画または動画の縮小画像が記録される。なお、サムネイルは、図１の記憶部１１に記憶されている。
【００４２】
また、図３は、情報表示装置１が使用する記録再生履歴テーブル４０である。コンテンツを記録または再生した日時４１、コンテンツの記録または再生の区別４２、コンテンツＩＤ４３が記録されている。
【００４３】
（撮影処理について）
図４は、情報表示装置１における撮影処理フローを示す図である。情報表示装置１が有するカメラ１８を用いて静止画または動画の撮影が行われると、制御部２１は、撮影処理を開始してステップＳ１の処理へ移行する。
【００４４】
ステップＳ１：制御部２１は、カメラ１８におけるシャッターの押下をチェックしてステップＳ２の処理へ移行する。
【００４５】
ステップＳ２：制御部２１は、ステップＳ１の処理の結果、シャッターが押下されたか否かを判断する。すなわち、制御部２１は、ステップＳ１の処理の結果、シャッターが押下された場合（ステップＳ２でＹｅｓ）、ステップＳ３の処理へ移行する。一方、制御部２１は、ステップＳ１の処理の結果、シャッターが押下されない場合（ステップＳ２でＮｏ）、ステップＳ１の処理へ戻る。
【００４６】
ステップＳ３：制御部２１は、撮影データをカメラ１８より取得してステップＳ４の処理へ移行する。
【００４７】
ステップＳ４：制御部２１は、撮影データをＳＤカード１２にファイルとして保存してステップＳ５の処理へ移行する。
【００４８】
ステップＳ５：制御部２１は、撮影データのサムネイルを生成して記憶部１１に保存し、ステップＳ６の処理へ移行する。
【００４９】
ステップＳ６：制御部２１は、コンテンツＩＤ３１、ＳＤカードＩＤ３２、ファイルハッシュ値３３、ファイルサイズ３４、ファイルパス３５、サムネイルパス３７をコンテンツテーブル３０に追記してステップＳ７の処理へ移行する。
【００５０】
ステップＳ７：制御部２１は、撮影した日時４１、記録または再生の区別４２、コンテンツＩＤ４３を記録再生履歴テーブル４０に追記して撮影処理を終了する（撮影処理終了）。
【００５１】
（再生後処理について）
図５は、情報表示装置１における再生後処理フローを示す図である。情報表示装置１がファイルを再生した後、制御部２１は、図５に示すような処理を実行する。ここでファイルの再生とは、ＳＤカード１２に、他装置によって書き込まれたファイルが情報表示装置１によって再生される場合をいう。すなわち、情報処理装置１の制御部２１は、ファイルが再生されることによりステップＳ１０の処理へ移行する。
【００５２】
ステップＳ１０：制御部２１は、コンテンツテーブル３０に、再生されたファイルがあるか否かをチェックしてステップＳ１１の処理へ移行する。この時点では、再生されたファイルがある場合、図２に示すコンテンツテーブル３０においては、再生されたファイルがあるＳＤカード１２のＳＤカードＩＤ３２、再生されたファイルのファイルパス３５、メタデータ３６（音楽データなどの場合）、サムネイルパス３７（静止画、動画データなどの場合）が記録されている。一方、コンテンツテーブル３０においては、コンテンツＩＤ３１、ファイルハッシュ値３３、ファイルサイズ３４は未だ空欄（ｎｕｌｌ）となっているものとする。
【００５３】
ステップＳ１１：制御部２１は、ステップＳ１０の処理の結果、再生されたファイルがあるか否かを判断する。すなわち、制御部２１は、ステップＳ１０の処理の結果、再生されたファイルが無い場合（ステップＳ１１でＹｅｓ）、ステップＳ１２の処理へ移行する。一方、制御部２１は、ステップＳ１０の処理の結果、再生されたファイルが有る場合（ステップＳ１１でＮｏ）、ステップＳ１４の処理へ移行する。
【００５４】
ステップＳ１２：制御部２１は、コンテンツテーブル３０より新しいコンテンツＩＤを採番してステップＳ１３の処理へ移行する。
【００５５】
ステップＳ１３：制御部２１は、ステップＳ１２で採番したコンテンツＩＤ３１、再生したファイルから演算したファイルハッシュ値３３、再生したファイルのファイルサイズ３４をコンテンツテーブル３０に追記してステップＳ１４の処理へ移行する。なお、ステップＳ１０の時点で、再生されたファイルが無い場合、ファイルハッシュ値３３、ファイルサイズ３４をコンテンツテーブル３０に予め追記しておくようにしてもよい。このようにした場合には、ステップＳ１３の処理は、コンテンツＩＤ３１のみをコンテンツテーブル３０に追加する処理になり、再生後処理を終了する。
【００５６】
ステップＳ１４：制御部２１は、コンテンツを再生した日時４１、記録または再生の区別４２、コンテンツＩＤ４３を記録再生履歴テーブル４０に追記して再生後処理を終了する。
【００５７】
（再生処理について）
図６は、情報表示装置１における再生処理フローを示す図である。図７は、移動履歴テーブル５０の一例を示す図である。ここで再生処理とは、情報表示装置１の地図情報上のコンテンツに関連した位置にコンテンツを表示することである。コンテンツに関連した位置とは、たとえばコンテンツを記録（取得）した位置あるいはコンテンツを再生した位置である。なお、コンテンツに関連した位置の表示は、たとえばコンテンツの内容を象徴的に示す図形化されたアイコンを地図上に表示することにより行われる。制御部２１は、情報表示装置１で再生処理が開始されるとステップＳ２０の処理へ移行する。
【００５８】
ステップＳ２０：制御部２１は、ユーザの指示により、移動履歴テーブル５０より該当日時の記録を抽出してステップＳ２１の処理へ移行する。
【００５９】
ステップＳ２１：制御部２１は、抽出した移動履歴テーブル５０より地図表示範囲を計算してステップＳ２２の処理へ移行する。
【００６０】
ステップＳ２２：制御部２１は、地図情報を表示してステップＳ２３の処理へ移行する。
【００６１】
ステップＳ２３：制御部２１は、移動履歴を地図情報上にプロットしてステップＳ２４の処理へ移行する。これにより、たとえば地図情報上に移動履歴が移動経路として太い実線または地図情報とは色の異なる実線などにより表示される。
【００６２】
ステップＳ２４：制御部２１は、記録再生履歴テーブル４０より該当日時の記録再生履歴を抽出してステップＳ２５の処理へ移行する。
【００６３】
ステップＳ２５：制御部２１は、記録再生履歴テーブル４０から記録再生履歴を取り出してステップＳ２６の処理へ移行する。
【００６４】
ステップＳ２６：制御部２１は、コンテンツテーブル３０のコンテンツＩＤ３１とＳＤカードＩＤ３２との対応関係を参照して、記録再生履歴テーブル４０にあるコンテンツＩＤ４３を有するコンテンツがあるはずのＳＤカード１２が情報表示装置１に挿入されているか否かを情報表示装置１に挿入されているＳＤカード１２のＳＤカードＩＤにてチェックし、ステップＳ２７の処理へ移行する。
【００６５】
ステップＳ２７：制御部２１は、ステップＳ２６の処理の結果、該当するＳＤカード１２はあるか否かを判断する。すなわち、制御部２１は、ステップＳ２６の処理の結果、該当するＳＤカード１２がある場合（ステップＳ２７でＹｅｓ）、ステップＳ２８の処理へ移行する。一方、制御部２１は、ステップＳ２６の処理の結果、該当するＳＤカード１２が無い場合（ステップＳ２７でＮｏ）、ステップＳ３２の処理へ移行する。
【００６６】
ステップＳ２８：制御部２１は、コンテンツテーブル３０のファイルパス３５を参照して記録再生履歴テーブル４０にあるコンテンツＩＤ４３を有するコンテンツが保存されているファイルパスにあるか否かをチェックしてステップＳ２９の処理へ移行する。
【００６７】
ステップＳ２９：制御部２１は、ステップＳ２８の処理の結果、コンテンツがファイルパスにあるか否かを判断する。すなわち、制御部２１は、ステップＳ２８の処理の結果、コンテンツがファイルパスにある場合（ステップＳ２９でＹｅｓ）、ステップＳ３０の処理へ移行する。一方、制御部２１は、ステップＳ２８の処理の結果、コンテンツがファイルパスに無い場合（ステップＳ２９でＮｏ）、ステップＳ３２の処理へ移行する。
【００６８】
ステップＳ３０：制御部２１は、ＳＤカード１２内のメタデータまたは写真を表示してステップＳ３１の処理へ移行する。これにより、地図情報上には、コンテンツが記録または再生された位置に、メタデータ（音楽などの場合）、または写真が表示される。なお、写真は、静止画で所定の範囲内に収まるならばサムネイルでなくてもよい。また、動画の場合はサムネイルになる。また、メタデータまたは写真の代わりに所定のアイコンが表示されるようにしてもよい。
【００６９】
テーブルＳ３１：制御部２１は、記録再生履歴テーブルの該当日時を全て抽出した場合（ステップＳ３１でＹｅｓ）、再生処理を終了する。一方、制御部２１は、記録再生履歴テーブルの該当日時を全て抽出していない場合（ステップＳ３１でＮｏ）、ステップＳ２５の処理へ移行する。
【００７０】
ステップＳ３２：制御部２１は、現在、情報表示装置１に挿入されているＳＤカード１２内で同じファイルサイズのものを抽出してステップＳ３３の処理へ移行する。
【００７１】
ステップＳ３３：制御部２１は、ステップＳ３２の処理の結果、ＳＤカード１２内で同じファイルサイズのものがあるか否かを判断する。すなわち、制御部２１は、ステップＳ３２の処理の結果、ＳＤカード１２内で同じファイルサイズのものがある場合（ステップＳ３３でＹｅｓ）、ステップＳ３４の処理へ移行する。一方、制御部２１は、ステップＳ３２の処理の結果、ＳＤカード１２内で同じファイルサイズのものが無い場合（ステップＳ３３でＮｏ）、ステップＳ３７の処理へ移行する。
【００７２】
ステップＳ３４：制御部２１は、ステップＳ３３の処理の結果、ＳＤカード１２内で同じファイルサイズのものが有る場合にそのファイルハッシュ値は一致するかをチェックしてステップＳ３５の処理へ移行する。
【００７３】
ステップＳ３５：制御部２１は、ステップＳ３４の処理の結果、ファイルハッシュ値が一致するか否かを判断する。すなわち、制御部２１は、ステップＳ３４の処理の結果、ファイルハッシュ値が一致した場合（ステップＳ３５でＹｅｓ）、ステップＳ３６の処理へ移行する。一方、制御部２１は、ステップＳ３４の処理の結果、ファイルハッシュ値が一致しない場合（ステップＳ３５でＮｏ）、ステップＳ３７の処理へ移行する。
【００７４】
ステップＳ３６：制御部２１は、ＳＤカード１２内のメタデータまたは写真を表示してステップＳ３１の処理へ移行する。これにより、地図情報上には、コンテンツが記録または再生された位置に、メタデータ（音楽などの場合）、または写真が表示される。なお、写真は、静止画で所定の範囲内に収まるならばサムネイルでなくてもよい。また、動画の場合はサムネイルになる。また、メタデータまたは写真の代わりに所定のアイコンが表示されるようにしてもよい。
【００７５】
ステップＳ３７：制御部２１は、音楽データの場合、メタデータを表示させ、静止画または動画の場合、サムネイルを表示させてステップＳ３１の処理へ移行する。
【００７６】
これにより、前述したように、ユーザによってコンピュータ装置（不図示）からＳＤカード１２にデータが書き戻されるときに、ユーザが異なるＳＤカード１２にデータを保存し、ＳＤコードＩＤが前回とは異なる場合であっても、コンテンツテーブル３０のファイルサイズ３４およびファイルハッシュ値３３を調べることによって、所定のコンテンツを特定することができる。
【００７７】
あるいは、前述したように、ＳＤカードＩＤは前回と同じであっても、ユーザによってコンピュータ装置からＳＤカード１２にデータが書き戻されるときに、ユーザがＳＤカード１２における前回とは異なるファイルにデータを保存し、データに対応付けられているファイルパスが前回とは異なる場合であっても、コンテンツテーブル３０のファイルサイズ３４およびファイルハッシュ値３３を調べることによって、所定のコンテンツを特定することができる。
【００７８】
さらに、ＳＤカードＩＤ３２、ファイルハッシュ値３３、ファイルサイズ３４、ファイルパス３５のいずれからもコンテンツが特定できない場合であっても、メタデータまたはサムネイルを表示することができる。これによればユーザは、表示部１９に表示されたメタデータまたはサムネイルを目視確認することによって、ＳＤカード１２に記録されているコンテンツの内容を確認することができる。
【００７９】
このとき、表示すべきメタデータまたはサムネイルが多数存在する場合には、一定周期で表示を変更しながら全てのメタデータまたはサムネイルを表示したり、あるいは、ユーザの操作にしたがって表示を変更しながら全てのメタデータまたはサムネイルを表示することができる。
【００８０】
次に、情報表示装置１を用いた表示例を図８、図９を参照して説明する。情報表示装置１は、様々な種類のコンテンツを扱うことができる。情報表示装置１は、たとえば番組録音履歴、番組録画履歴、動画撮影履歴、マイク録音履歴、静止画撮影履歴、音楽・動画視聴履歴などのコンテンツを扱うことができる。
【００８１】
情報表示装置１が扱うことができるコンテンツ種別のうちで、番組録音履歴、番組録画履歴については、放送局から電波が発せられている状況をイメージしたアイコンａが表示部１９の地図情報上に表示される。さらに、アイコンａの中には録音／録画を表す「Ｒ(Record)」の文字が表示されている。なお、放送局からの電波を受信するのではなく、インターネットのＷｅｂサイトなどから放送をダウンロードして録音または録画する場合も含む。
【００８２】
動画撮影履歴については、ムービーカメラをイメージしたアイコンｂが表示部１９の地図情報上に表示される。
【００８３】
マイク録音履歴については、マイクロフォンをイメージしたアイコンｃが表示部１９の地図情報上に表示される。
【００８４】
静止画撮影履歴については、スチルカメラをイメージしたアイコンｄが表示部１９の地図情報上に表示される。
【００８５】
音楽・動画視聴履歴については、ＣＤ(Compact Disc)あるいはＤＶＤ(Digital Versatile
Disc)をイメージしたアイコンｅが表示部１９の地図情報上に表示される。
【００８６】
図８の例では、表示部１９の地図情報上に表示されたアイコンａ〜ｅは、それぞれコンテンツの始動位置、終了位置あるいは始動〜終了の中間位置など、地図情報上の一箇所に表示されている。これらの表示位置は、ユーザが任意に切替えられるようにすることがよい。一方、移動経路を伴ってアイコンａ〜ｅを表示することもできる。
【００８７】
図８の表示部１９の地図情報上に表示されたアイコンａ〜ｅをユーザが選択すると、録音または録画されたコンテンツを再生することができる。なお、アイコンａ〜ｅの選択方法は、たとえば操作部２０が表示部１９に重畳されているタッチパネルである場合、ユーザは表示部１９に表示されているアイコンａ〜ｅに対応するタッチパネルの部位を指などで押圧することにより、当該アイコンａ〜ｅが選択される。
【００８８】
図９は、静止画撮影履歴に対応するアイコンｄが選択され、撮影した静止画である写真ｆが表示部１９上に再生されている様子を示している。さらに、作成したファイル名（たとえば撮影場所の名称などを含む）、撮影日時などの詳細情報が表示部１９に併せて表示されるようにしてもよい。
【００８９】
図示は省略するが番組録音履歴、番組録画履歴に対応するアイコンａが選択されると、録音された音声および／または録画された画像が再生される。さらに、作成したファイル名（たとえば番組名，放送局名などを含む）、周波数（ＵＲＬ）、録音／録画日時などの詳細情報が表示部１９に併せて表示されるようにしてもよい。
【００９０】
また、図示は省略するが動画撮影履歴に対応するアイコンｂが選択されると、カメラ１８または外付カメラ（不図示）によって録画されたコンテンツが再生される。さらに作成ファイル名（たとえば録画ソースの名称などを含む）、録画日時などの詳細情報が表示部１９に併せて表示されるようにしてもよい。
【００９１】
また、図示は省略するがマイク録音履歴に対応するアイコンｃが選択されると、マイクロフォン１５または外付マイク（不図示）によって録音されたコンテンツが再生される。さらに作成したファイル名（たとえば録音ソースの名称などを含む）、録音日時などの詳細情報が表示部１９に併せて表示されるようにしてもよい。
【００９２】
また、図示は省略するが音楽・動画視聴履歴に対応するアイコンｅが選択されると、内蔵コンテンツが再生される。内蔵コンテンツは、ＳＤカード１２または情報提供装置２３から記憶部１１に書き込まれたコンテンツである。または、情報表示装置１が不図示のＣＤプレーヤまたはＤＶＤプレーヤを内蔵している場合には、これらのプレーヤに挿入されているＣＤまたはＤＶＤのコンテンツである。さらに、作成したファイル名（たとえば楽曲タイトル，映画タイトル，ＣＤ／ＤＶＤのタイトル，放送局名，Ｗｅｂサイト名などを含む）、記憶部１１への格納日時、ダウンロード元のＵＲＬなどの詳細情報が表示部１９
に併せて表示されるようにしてもよい。
【００９３】
このように地図情報上にコンテンツの履歴を表示することにより、日付以外に場所からコンテンツを選択することができるようになる。また、様々な履歴を１つの画面上に表示するため、その日の行動を把握し易くなる。情報表示装置１では、ＳＤカード１２に記憶されたファイルを利用しながら図８、図９に示すように、地図情報上にコンテンツの履歴を表示することができる。
【００９４】
本発明の実施の形態に係る情報表示装置１は、ＳＤカードＩＤおよびファイルパスの２つのデータのみではなく、その他の多種のデータ（ファイルサイズおよび／またはファイルハッシュ値）を活用することにより、情報表示装置１の履歴とコンテンツとの対応関係を明確化することができる。
【００９５】
（本発明の実施の形態に係る効果について）
本発明の実施の形態に係る効果について説明する。情報表示装置１は、ＳＤカード１２に記憶されるコンテンツと当該情報表示装置１のコンテンツの記録または再生の履歴とを対応付けて保持し、コンテンツＩＤ、ＳＤカードＩＤおよびコンテンツのファイルパスに加え、コンテンツのファイルハッシュ値、コンテンツのファイルサイズを保持する。
【００９６】
これにより、ユーザによってコンピュータ装置からＳＤカード１２にデータが書き戻されるときに、ユーザが異なるＳＤカード１２にデータを保存（ＳＤカードＩＤ相違）しても、あるいは、ＳＤカードＩＤは前回と同じであっても、ユーザがＳＤカード１２における前回とは異なるファイルにデータを保存（ファイルパス相違）しても、ファイルサイズとファイルハッシュ値、またはファイルハッシュ値からコンテンツの同一性が分かるので、コンテンツと履歴との対応関係を見付け出すことが可能となる。
【００９７】
また、移動履歴と記録または再生の履歴とを対応付けて地図情報上に表示させる際に、移動履歴と記録または再生の履歴との対応付けのための検索対象となるコンテンツが記憶されているとみなされるＳＤカード１２が情報表示装置１に挿入されていないとき、あるいは、検索対象となるコンテンツが記憶されているとみなされるＳＤカード１２が情報表示装置１に挿入されていても検索対象となるコンテンツのファイルパスが見つからないときには、情報表示装置１に挿入されているＳＤカード１２に記憶されているコンテンツの中で検索対象となるコンテンツと同じファイルサイズのコンテンツを抽出し、当該コンテンツのファイルハッシュ値が検索対象となるコンテンツのファイルハッシュ値と一致したときには、当該コンテンツに係るデータを地図情報上に表示させる。
【００９８】
このように２段階の手順によってファイルの同一性を確認することにより、ファイルの同一性確認の処理を確実かつ高速に行うことができる。すなわち、ファイルサイズの情報量とファイルハッシュ値の情報量とを比較するとファイルサイズの情報量はファイルハッシュ値と比較してごく小さな情報量である。よって、まず、最初にファイルサイズによってファイルの同一性を確認し、これにより非同一であるファイルは、次のファイルハッシュ値による確認処理を省くようにする。これにより、ファイルの同一性確認の処理を確実かつ高速に行うことができる。
【００９９】
さらに、情報表示装置１に挿入されているＳＤカード１２に記憶されているコンテンツの中に、同じファイルサイズのコンテンツが見つからないとき、あるいは、同じファイルサイズのコンテンツが見つかってもそのファイルハッシュ値が一致しないときには、ＳＤカード１２に記憶されているコンテンツに係るデータを地図情報上に表示させる。
【０１００】
これにより、情報表示装置１に挿入されているＳＤカード１２内にユーザが所望するコンテンツが無いときには、ユーザに対してＳＤカード１２内のコンテンツを確認させることができる。よって、ユーザは、情報表示装置１に挿入されているＳＤカード１２が所望するコンテンツを含むＳＤカード１２ではないことを容易に確認できると共に、そのＳＤカード１２がどのようなコンテンツを含むものであるかまでも同時に確認できる。これにより、ユーザの利便性を向上させることができる。
【０１０１】
このように、情報表示装置１によれば、情報表示装置１に、検索対象となるコンテンツを記録しているＳＤカード１２が挿入されていない場合、もしくは検索対象となるコンテンツを記録したＳＤカード１２とは異なるＳＤカード１２が挿入されている場合でもユーザの検索対象となるコンテンツの記録または再生の履歴を見ることができると共に、当該コンテンツを再生することができる。
【０１０２】
（プログラムを用いた実施の形態について）
また、情報表示装置１の制御部２１は、所定のプログラムにより動作する汎用の情報処理装置によって構成されてもよい。例えば、汎用の情報処理装置は、メモリ、ＣＰＵ(Central Processing Unit)、入出力ポートなどを有する。汎用の情報処理装置のＣＰＵは、メモリなどから所定のプログラムとして制御プログラムを読み込んで実行する。これにより、汎用の情報処理装置には、情報表示装置１の制御部２１の機能が実現される。また、その他の機能についてもソフトウェアにより実現可能な機能については汎用の情報処理装置とプログラムとによって実現することができる。なお、上述したＣＰＵの代わりにＡＳＩＣ(Application Specific Integrated Circuit)、マイクロプロセッサ（マイクロコンピュータ）、ＤＳＰなどを用いてもよい。
【０１０３】
なお、汎用の情報処理装置が実行する制御プログラムは、情報表示装置１の出荷前に、汎用の情報処理装置のメモリなどに記憶されたものであっても、情報表示装置１の出荷後に、汎用の情報処理装置のメモリなどに記憶されたものであってもよい。また、制御プログラムの一部が、情報表示装置１の出荷後に、汎用の情報処理装置のメモリなどに記憶されたものであってもよい。情報表示装置１の出荷後に、汎用の情報処理装置のメモリなどに記憶される制御プログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【０１０４】
また、制御プログラムは、汎用の情報処理装置によって直接実行可能なものだけでなく、ハードディスクなどにインストールすることによって実行可能となるものも含む。また、圧縮されたり、暗号化されたりしたものも含む。
【０１０５】
このように、汎用の情報処理装置とプログラムによって情報表示装置１の機能を実現することにより、大量生産や仕様変更（または設計変更）に対して柔軟に対応可能となる。
【０１０６】
（その他の実施の形態）
本発明の実施の形態は、その要旨を逸脱しない限り様々に変更が可能である。
【０１０７】
たとえばカメラ１８による撮影時にＳＤカード１２にコンテンツＩＤを埋め込むようにしてもよい。ここでは、このような処理を情報処理装置１Ａの制御部２１Ａが行うとして説明する。
【０１０８】
情報処理装置１Ａ（図示省略）の制御部２１Ａ（図示省略）がカメラ１８により撮影された静止画または動画のコンテンツＩＤをＳＤカード１２に埋め込む処理について図１０のフローチャートを参照して説明する。なお、図１０のフローチャートでは、ステップＳ１〜Ｓ３，Ｓ５，Ｓ７の処理については、図４のフローチャートと同じなので説明は省略する。
【０１０９】
ステップＳ４０：制御部２１Ａは、撮影データのメタデータ領域にコンテンツＩＤを追記し、ＳＤカード１２にファイルとして保存し、ステップＳ５の処理へ移行する。
【０１１０】
ステップＳ４１：制御部２１Ａは、コンテンツＩＤ３１、サムネイルパス３７をコンテンツテーブル３０に追記してステップＳ７の処理へ移行する。
【０１１１】
これによれば、ＳＤカード１２内のメタデータ領域にコンテンツＩＤが保存されているため、図６のフローチャートのステップＳ２６，Ｓ２７の処理において、ＳＤカードＩＤ３２をチェックすることなく、ステップＳ２８，Ｓ２９におけるファイルパスのチェックの処理に代えて、直接的にコンテンツＩＤをチェックする処理を行うことができる。これにより図６のフローにおけるステップＳ２６，Ｓ２７の処理を省略することができる。
【０１１２】
また、図６のフローにおけるステップＳ３２〜Ｓ３６の処理を省略することができる。すなわち、図６のフローチャートの処理においてステップＳ２９で「Ｎｏ」の場合には、直接ステップＳ３７の処理が実行される。また、コンテンツテーブル３０への追記の処理についてもコンテンツＩＤ３１、サムネイルパス３７のみでよい。
【０１１３】
また、撮影時にＳＤカード１２にコンテンツＩＤを埋め込みハッシュ計算を行うようにしてもよい。ここでは、このような処理を情報表示装置１Ｂの制御部２１Ｂが行うとして説明する。
【０１１４】
情報処理装置１Ｂ（不図示）の制御部２１Ｂ（図示省略）がカメラ１８により撮影された静止画または動画のコンテンツＩＤをＳＤカード１２に埋め込むと共にファイルハッシュ値の計算を行う処理について図１１のフローチャートを参照して説明する。なお、図１１のフローチャートでは、ステップＳ１〜Ｓ３，Ｓ５，Ｓ７の処理については、図４と同じであり、ステップＳ４０の処理については図１０と同じなので説明は省略する。
【０１１５】
ステップＳ５０：制御部２１Ｂは、コンテンツＩＤ３１、ファイルハッシュ値３３、ファイルサイズ３４、サムネイルパス３７をコンテンツテーブル３０に追記してステップＳ７の処理へ移行する。
【０１１６】
これによれば、ＳＤカード１２内にコンテンツＩＤが保存されているため、図６のフローチャートのステップＳ２６，Ｓ２７の処理において、ＳＤカードＩＤ３２をチェックすることなく、ステップＳ２８，Ｓ２９の処理において、直接的にコンテンツＩＤをチェックする処理を行うことができる。これにより図６のフローチャートにおけるステップＳ２６，Ｓ２７の処理を省略することができる。
【０１１７】
その上でさらに、コンテンツテーブル３０への追記は、ファイルハッシュ値３３、ファイルサイズ３４、サムネイルパス３７についても行う。これにより、コンテンツＩＤのチェックの他に、ファイルサイズおよびファイルハッシュ値のチェックも可能となり、図６のフローの処理において、ステップＳ３２〜Ｓ３７の処理を実行させることができる。これにより、ファイルの同一性を確認できるので、図１０の撮影処理と比較してさらにリンクミスを低減させることができる。
【０１１８】
次に、無線ＬＡＮモジュール２２を有する情報表示装置１Ｃについて図１２を参照して説明する。図１２に示す情報表示装置１Ｃは、情報表示装置１の構成に加え、無線ＬＡＮモジュール２２を追加した構成である。
【０１１９】
情報表示装置１Ｃは、図１３に示すように、情報表示システム１Ｄにおいて用いられる。情報表示システム１Ｄは、情報提供装置２３、通信網２４、無線基地局２５、情報表示装置１Ｃによって構成される。
【０１２０】
情報提供装置２３は、ストレージ２６を有し、ストレージ２６に記憶されている各種ファイルを、通信網２４および無線基地局２５を介して情報表示装置１Ｃに提供することができる。これにより、情報表示装置１Ｃは、ＳＤカード１２に記憶されているファイルに加え、情報提供装置２３のストレージ２６に記憶されているファイルを利用することができる。
【０１２１】
たとえば情報表示装置１Ｃは、ＳＤカードＩＤ３２が「ｎｕｌｌ」となっているコンテンツ（コンテンツＩＤ：１８７０９６７９２）のファイルパス３５を参照すると、「／ｓｅｒｖｅｒ／ｍｕｓｉｃ１／ｚｚｚ．ｍｐ３」となっている場合、これは、コンテンツＩＤ＝１８７０９６７９２のコンテンツは、情報提供装置（ｓｅｒｖｅｒ）２３のストレージ２６内にあることを示している。
【０１２２】
このようにして、情報表示装置１Ｃによれば、ＳＤカード１２のみならず、情報提供装置２３のストレージ２６に記憶されているファイルについてもＳＤカード１２に記憶されているファイルと同様に利用することができる。これにより、情報表示装置１Ｃで利用できるファイル数を大幅に増やすことができる。
【０１２３】
また、たとえばＳＤカード１２は、他の可搬形記憶媒体に代えてもよい。たとえばＳＤカード１２に代えてＵＳＢメモリであってもよい。あるいは、外付け用のＨＤＤなどであってもよい。
【０１２４】
また、図１、図１２の構成において、スピーカ１４、マイクロフォン１５、一時記憶部１０、カメラ１８は必須の構成要件ではない。たとえば外部のマイクロフォン、外部のカメラ、などによって取得したファイルをＳＤカード１２によって情報表示装置１，１Ａ，１Ｂ，１Ｃに取り込むことでもよい。
【０１２５】
また、図１２の無線ＬＡＮモジュール２２は、単に無線ＬＡＮのためだけの通信手段ではなく、放送局またはインターネットのＷｅｂサイトなどからコンテンツを受信するコンテンツの受信装置としての機能、または、情報表示装置１，１Ａ，１Ｂ，１Ｃが携帯電話端末としての機能を有するものである場合、携帯電話システムの基地局装置との電話通信またはメール通信などの通信制御を行う機能、または、ネットワークを介した電話通信またはメール通信のための通信制御を行う機能、または、Ｂｌｕｅｔｏｏｔｈ（登録商標）などとの通信制御を行う機能、などを有してもよい。
【０１２６】
また、たとえば上述した例では、アイコンまたは経路を単色で表示させたがアイコンの種類に応じて表示色を変えてもよい。あるいは、アイコンを動画もしくはアニメーションなどにより表示させてもよい。
【０１２７】
また、時系列的に「どこで何をしたか」について表示する例を示したが、これに対し、位置情報の座標順（たとえば北から南に向う方向など）に「どこで何をしたか」について表示するようにしてもよい。
【０１２８】
また、ＧＰＳ１７による情報表示装置１の位置情報に対し、加速度センサなどによる情報表示装置１の移動情報を加味してもよい。これによれば、トンネル内や地下街など、ＧＰＳ１３による位置情報が取得困難な場所においても情報表示装置１の位置情報を推定することができる。
【０１２９】
また、コンテンツの履歴としては、ゲームを行った履歴、辞書を検索した履歴など、上述した例の他にも各種多様の履歴を扱ってよい。
【０１３０】
また、コンテンツの履歴の開示には、プライバシー保護が必要である場合があるので、情報の表示に先立って、パスワードの入力など、プライバシー保護対策を施すことが好ましい。
【０１３１】
また、複数の動作を同時に行った場合、たとえば音楽を聴きながら写真を見たといったような場合には、対応するアイコンを交互に表示させたり、通常よりも小さなアイコンを並べて表示させるなどとする。あるいは、特定のコンテンツに関する履歴に限定して表示するような設定を行うようにしてもよい。
【０１３２】
また、地図情報は、地図の縮尺、住所表示の有無など、様々な表示形態に切替え可能とすることが好ましい。
【０１３３】
また、必ずしも地図情報とは対応つけずに、情報表示装置の記録または再生した履歴とＳＤカードのコンテンツをリスト等の形式で表示してもよい。
【０１３４】
上述したコンテンツテーブル３０は、上述した情報に限らないことは言うまでもない。
【符号の説明】
【０１３５】
１，１Ａ，１Ｂ，１Ｃ…情報表示装置、１１…記憶部（移動履歴表示手段の一部）、１２…ＳＤカード（可搬形記憶媒体、移動履歴表示手段の一部）、１３…記憶媒体コントローラ、１９…表示部（出力部の一部、移動履歴表示手段の一部）、２０…操作部、２１，２１Ａ，２１Ｂ…制御部（出力部の一部、記憶部の一部、移動履歴表示手段の一部）
【図１】
2011065570.tif 000003
【図２】
2011065570.tif 000004
【図３】
2011065570.tif 000005
【図４】
2011065570.tif 000006
【図５】
2011065570.tif 000007
【図６】
2011065570.tif 000008
【図７】
2011065570.tif 000009
【図８】
2011065570.tif 000010
【図９】
2011065570.tif 000011
【図１０】
2011065570.tif 000012
【図１１】
2011065570.tif 000013
【図１２】
2011065570.tif 000014
【図１３】
2011065570.tif 000015
【国際調査報告】
2011065570.tif 000016
2011065570.tif 000017